(57)【要約】【課題】所定の色分解能に対して色再現性を向上させる。【解決手段】色生成部２０は領域検出回路２１および誤差最小色度検出回路２２を有する。領域検出回路２１は入力色度点を内部に含む領域を第１〜第４の領域の中から検出する。誤差最小色度検出回路２２は検出された領域と当該領域に対して定められた追加原色点を読出す。誤差最小色度検出回路２２は検出された領域の中の３原色再現点をＲＯＭ１１ｆから読出す。誤差最小色度検出回路２２は各３原色再現点と追加原色点とに基づいて追加再現点を算出する。誤差最小色度検出回路２２は入力色度に最も近い追加再現点または３原色再現点を近似色度点として検出する。【選択図】図３
2011024040.tif 000002
【特許請求の範囲】
【請求項１】
画像データを構成する画素データの色度データ成分である入力色度データを受信する受信部と、
第１〜第４の原色に対して所定の色分解能で再現可能な複数の色に対応する複数の色度である一次色度に相当する一次色度データを格納する色度メモリと、
前記色度メモリに格納された複数の前記一次色度の中で、前記入力色度データに相当する入力色度に最も近い前記一次色度を一次近似色度として検出する第１の検出部と、
前記一次近似色度に相当する一次近似色度データを前記画素データの色度データとして出力する出力部とを備える
ことを特徴とする色生成システム。
【請求項２】
前記入力色度が、任意の３原色の色度の組合せが予め定められた４以上の原色の色度のいずれの組合せの内部にあるかを検出する第２の検出部を備え、
前記色度メモリは、任意の３原色と前記任意の３原色に予め対応付けられた単一の原色とに対して前記色分解能で再現可能な複数の色に対応する複数の色度を、予め定められた任意の３原色の組合せ別に色度データとして格納し、
前記第１の検出部は、前記第２の検出部により検出された３原色を前記第１〜第３の原色とし、前記第２の検出部により検出された３原色の組合せに予め対応付けられた単一の原色を前記第４の原色として前記一次色度データを前記色度メモリに格納された前記色度データから選択的に読出し、読出した前記一次色度データに基づいて前記一次近似色度を検出する
ことを特徴とする請求項１に記載の色生成システム。
【請求項３】
前記一次色度は、第１、第２の原色に対応する色度である第１、第２の原色色度を前記色分解能で分割した色度の中で前記第１の原色色度に最も近い色度と前記第１の原色色度との差である第１の色度差、および前記第１の原色色度と前記第３の原色に対応する色度である第３の原色色度とを前記色分解能で分割した色度の中で前記第１の原色色度に最も近い色度と前記第１の原色色度との差である第２の色度差に別々に自然数を乗じて、前記第１の原色色度に加算することにより算出される色度であることを特徴とする請求項１または請求項２に記載の色生成システム。
【請求項４】
画像データを構成する画素データの色度データ成分である入力色度データを受信する受信部と、
第１〜第４の原色の中の任意の３原色の複数の組合せそれぞれに対して所定の色分解能で再現可能な複数の色に対応する複数の一次色度に相当する一次色度データを格納する色度メモリと、
前記入力色度が、前記第１〜第４の原色の中で予め定められた任意の３原色の複数の組合せの中で、いずれの組合せの３原色に対応する色度の内部にあるかを検出する第２の検出部と、
前記第２の検出部に検出された３原色の第１の組合せに対して所定の色分解能で再現可能な複数の色に対応する複数の色度に相当する前記一次色度データを第１の一次色度データとして前記色度メモリから読出し、読出した複数の前記第１の一次色度データに相当する複数の前記第１の一次色度の中で、前記入力色度データに相当する入力色度に最も近い前記第１の一次色度を一次近似色度として検出する第１の検出部と、
前記第１の組合せ以外の組合せの３原色に対して所定の色分解能で再現可能な複数の色に対応する複数の色度に相当する前記一次色度データを第２の一次色度データとして前記色度メモリから読出し、読出した前記第２の一次色度データに相当する第２の一次色度と前記一次近似色度とを前記色分解能で分割した複数の色度である二次色度の中で前記入力色度に最も近い前記二次色度を、二次近似色度として検出する第３の検出部と、
前記二次近似色度に相当する二次近似色度データを前記画素データの色度データとして出力する出力部とを備える
ことを特徴とする色生成システム。
【請求項５】
前記第３の検出部は、前記一次近似色度と前記入力色度とを色度図上で結んだ直線に最も近い前記第２の一次色度を検出し、検出した前記第２の一次色度と前記一次近似色度とを前記色分解能で分割した複数の色度である前記二次色度の中で、前記入力色度に最も近い前記二次色度を検出することを特徴とする請求項４に記載の色生成システム。
【請求項６】
画像データを構成する画素データの色度データ成分である入力色度データを受信する受信部と、
第１〜第４の原色に対して所定の色分解能で再現可能な複数の色に対応する複数の色度である一次色度に相当する一次色度データを格納する色度メモリと、
前記色度メモリに格納された複数の前記一次色度の中で、前記入力色度データに相当する入力色度に最も近い前記一次色度を一次近似色度として検出する第１の検出部と、
前記一次近似色度に相当する一次近似色度データを前記画素データの色度データとして出力する出力部とを備える
ことを特徴とする内視鏡プロセッサ。
【請求項７】
画像を撮影して画像信号を生成する電子内視鏡と、
前記画像信号を構成する画素信号に基づいて、前記画素信号の色度信号成分に相当する入力色度データを生成する第１の生成部と、
第１〜第４の原色に対して所定の色分解能で再現可能な複数の色に対応する複数の色度である一次色度に相当する一次色度データを格納する色度メモリと、
前記色度メモリに格納された複数の前記一次色度の中で、前記入力色度データに相当する入力色度に最も近い前記一次色度を一次近似色度として検出する第１の検出部と、
前記一次近似色度に相当する一次近似色度データを前記画素データの色度データとして用いて画像を表示する表示装置とを備える
ことを特徴とする内視鏡ユニット。
【請求項８】
画像データを構成する画素データの色度データ成分である入力色度データとして受信させる第１の制御部と、
第１〜第４の原色に対して所定の色分解能で再現可能な複数の色に対応する複数の色度である一次色度の中で、前記入力色度データに相当する入力色度に最も近い前記一次色度を一次近似色度値として検出する第１の検出部と、
前記一次近似色度に相当する一次近似色度データを前記画素データの色度データとして出力させる第２の制御部として内視鏡プロセッサを機能させる
ことを特徴とする色生成プログラム。
【発明の詳細な説明】
【技術分野】
【０００１】
本発明は、電子内視鏡のように生成された画像信号に対して色の再現性を向上させる色生成システムに関する。
【背景技術】
【０００２】
電子内視鏡のような被写体の光学像に相当する画像信号を生成する撮影装置が知られている。従来の撮像装置では、画像信号がＲＧＢの３原色信号成分によって構成されることが、一般的である。
【０００３】
近年、３原色を超える多原色信号成分によって画像信号を構成することが提案されている。例えば、３原色信号を多原色表示用の信号に変換することが提案され（特許文献１参照）、多原色表示用の信号に変換することによって彩度の高い色も正確に再現することが可能となる。
【０００４】
ところで、表示装置で表現可能な色は、表示装置固有の色分解能によって定められる。特許文献１による変換方法では、色度図上において分解能の粗い領域があり、入力された色に対して誤差の大きな色を出力する可能性があった。
【先行技術文献】
【特許文献】
【０００５】
【特許文献１】特許第３３０５７９４号公報
【発明の概要】
【発明が解決しようとする課題】
【０００６】
したがって、本発明では、定められた色分解能で表現可能な色に変換した多原色表示用の画素信号の色再現性を向上させる色生成システムの提供を目的とする。
【課題を解決するための手段】
【０００７】
本発明の第１の色生成システムは、画像データを構成する画素データの色度データ成分である入力色度データを受信する受信部と、第１〜第４の原色に対して所定の色分解能で再現可能な複数の色に対応する複数の色度である一次色度に相当する一次色度データを格納する色度メモリと、色度メモリに格納された複数の一次色度の中で入力色度データに相当する入力色度に最も近い一次色度を一次近似色度として検出する第１の検出部と、一次近似色度に相当する一次近似色度データを画素データの色度データとして出力する出力部とを備えることを特徴としている。
【０００８】
また、入力色度が任意の３原色の組合せが予め定められた４以上の原色のいずれの組合せの内部にあるかを検出する第２の検出部を備え、色度メモリは任意の３原色と任意の３原色に予め対応付けられた単一の原色とに対して色分解能で再現可能な複数の色に対応する複数の色度を予め定められた任意の３原色の組合せ別に色度データとして格納し、第１の検出部は第２の検出部により検出された３原色を第１〜第３の原色とし第２の検出部により検出された３原色の組合せに予め対応付けられた単一の原色を第４の原色として一次色度データを色度メモリに格納された色度データから選択的に読出し読出した一次色度データに基づいて一次近似色度を検出することが好ましい。
【０００９】
また、一次色度は第１、第２の原色に対応する色度である第１、第２の原色色度を色分解能で分割した色度の中で第１の原色色度に最も近い色度と第１の原色色度との差である第１の色度差および第１の原色色度と第３の原色に対応する色度である第３の原色色度とを色分解能で分割した色度の中で第１の原色色度に最も近い色度と第１の原色色度との差である第２の色度差に別々に自然数を乗じて第１の原色色度に加算することにより算出される色度であることが好ましい。
【００１０】
本発明の第２の色生成システムは、画像データを構成する画素データの色度データ成分である入力色度データを受信する受信部と、第１〜第４の原色の中の任意の３原色の複数の組合せそれぞれに対して所定の色分解能で再現可能な複数の色に対応する複数の一次色度に相当する一次色度データを格納する色度メモリと、入力色度が第１〜第４の原色の中で予め定められた任意の３原色の複数の組合せの中でいずれの組合せの３原色に対応する色度の内部にあるかを検出する第２の検出部と、第２の検出部に検出された３原色の第１の組合せに対して所定の色分解能で再現可能な複数の色に対応する複数の色度に相当する前記一次色度データを第１の一次色度データとして色度メモリから読出し読出した複数の第１の一次色度データに相当する複数の第１の一次色度の中で入力色度データに相当する入力色度に最も近い第１の一次色度を一次近似色度として検出する第１の検出部と、第１の組合せ以外の組合せの３原色に対して所定の色分解能で再現可能な複数の色に対応する複数の色度に相当する一次色度データを第２の一次色度データとして色度メモリから読出し読出した第２の一次色度データに相当する第２の一次色度と一次近似色度とを色分解能で分割した複数の色度である二次色度の中で入力色度に最も近い二次色度を二次近似色度として検出する第３の検出部と、二次近似色度に相当する二次近似色度データを画素データの色度データとして出力する出力部とを備えることが好ましい。
【００１１】
また、第３の検出部は、一次近似色度と入力色度とを色度図上で結んだ直線に最も近い第２の一次色度を検出し、検出した第２の一次色度と一次近似色度とを色分解能で分割した複数の色度である前記二次色度の中で入力色度に最も近い二次色度を検出することが好ましい。
【００１２】
また、本発明の内視鏡プロセッサは、画像データを構成する画素データの色度データ成分である入力色度データを受信する受信部と、第１〜第４の原色に対して所定の色分解能で再現可能な複数の色に対応する複数の色度である一次色度に相当する一次色度データを格納する色度メモリと、色度メモリに格納された複数の一次色度の中で入力色度データに相当する入力色度に最も近い一次色度を一次近似色度として検出する第１の検出部と、一次近似色度に相当する一次近似色度データを画素データの色度データとして出力する出力部とを備えることを特徴としている。
【００１３】
また、本発明の内視鏡ユニットは、画像を撮影して画像信号を生成する電子内視鏡と、画像信号を構成する画素信号に基づいて画素信号の色度信号成分に相当する入力色度データを生成する第１の生成部と、第１〜第４の原色に対して所定の色分解能で再現可能な複数の色に対応する複数の色度である一次色度に相当する一次色度データを格納する色度メモリと、色度メモリに格納された複数の一次色度の中で入力色度データに相当する入力色度に最も近い一次色度を一次近似色度として検出する第１の検出部と、一次近似色度に相当する一次近似色度データを画素データの色度データとして用いて画像を表示する表示装置とを備えることを特徴としている。
【００１４】
また、本発明の色生成プログラムは、画像データを構成する画素データの色度データ成分である入力色度データとして受信させる第１の制御部と、第１〜第４の原色に対して所定の色分解能で再現可能な複数の色に対応する複数の色度である一次色度の中で入力色度データに相当する入力色度に最も近い一次色度を一次近似色度値として検出する第１の検出部と、一次近似色度に相当する一次近似色度データを画素データの色度データとして出力させる第２の制御部として内視鏡プロセッサを機能させることを特徴としている。
【発明の効果】
【００１５】
本発明によれば、所定の色分解能で再現可能に変換した多原色表示用の画素信号の色再現性を向上させることが可能である。
【図面の簡単な説明】
【００１６】
【図１】本発明の第１の実施形態である色生成システムを有する内視鏡プロセッサを含む内視鏡ユニットの外観図である。
【図２】第１の実施形態の内視鏡プロセッサの内部構成を概略的に示すブロック図である。
【図３】第１の実施形態の色生成部の内部構成を概略的に示すブロック図である。
【図４】６色の原色に対して定められる第１〜第４の領域を示す色度図である。
【図５】２ビットの色分解能で第２の領域において再現可能な色の色度を説明するための色度図である。
【図６】２ビットの色分解能で第２の領域において追加原色点を用いて再現可能な色の色度を説明するための色度図である。
【図７】第１の実施形態において近似色度を算出するための第１のフローチャートである。
【図８】第１の実施形態において近似色度を算出するための第２のフローチャートである。
【図９】近似色度点が３原色再現点より入力色度点に近いことを説明するための色度図である。
【図１０】第２の実施形態の色生成部の内部構成を概略的に示すブロック図である。
【図１１】第２の実施形態においてＲＯＭに色度データとして格納される３原色再現点を定める各領域を示す色度図である。
【図１２】第２の実施形態において、二次近似色度を算出する方法を例として説明するための色度図である。
【図１３】第２の実施形態において近似色度を算出するための第１のフローチャートである。
【図１４】第２の実施形態において近似色度を算出するための第２のフローチャートである。
【図１５】第２の実施形態において近似色度を算出するための第３のフローチャートである。
【発明を実施するための形態】
【００１７】
以下、本発明の実施形態について図面を参照して説明する。
図１は、本発明の第１の実施形態を適用した色生成システムを有する内視鏡ユニットの内部構成を概略的に示すブロック図である。
【００１８】
内視鏡ユニット１０は、内視鏡プロセッサ１１、電子内視鏡１２、および多原色表示装置１３によって構成される。内視鏡プロセッサ１１は、電子内視鏡１２、および多原色表示装置１３に接続される。
【００１９】
内視鏡プロセッサ１１から被写体に照射するための照明光が電子内視鏡１２に供給される。照明光を照射された被写体が電子内視鏡１２により撮像される。電子内視鏡１２の撮像により生成する画像信号が内視鏡プロセッサ１１に送られる。
【００２０】
内視鏡プロセッサ１１では、電子内視鏡１２から得られた画像信号に対して所定の信号処理が施される。所定の信号処理を施した画像信号は多原色表示装置１３に送信され、送信された画像信号に相当する画像が多原色表示装置１３に表示される。
【００２１】
図２に示すように、内視鏡プロセッサ１１には、Ａ／Ｄコンバータ１１ａ、前段データ処理回路１１ｂ、第１のマトリックス回路１１ｃ、色生成部２０、第２のマトリックス回路１１ｄ、後段データ処理回路１１ｅ、およびＲＯＭ１１ｆが設けられる。
【００２２】
電子内視鏡１２を内視鏡プロセッサ１１に接続すると、電子内視鏡１２に設けられる撮像素子１２ａとＡ／Ｄコンバータ１１ａとが接続される。なお、電子内視鏡１２はマルチバンド撮影装置であって、６原色成分によって構成される画像信号が撮像素子１２ａによって生成され、Ａ／Ｄコンバータ１１ａに送信される。なお、画像信号は撮像素子１２ａの受光面（図示せず）に配置された複数の画素（図示せず）により生成される複数の画素信号によって構成される。
【００２３】
Ａ／Ｄコンバータ１１ａにより、受信した画像信号はｍビットの画像データに変換される。Ａ／Ｄコンバータ１１ａは前段データ処理回路１１ｂに接続される。画像データは、Ａ／Ｄコンバータ１１ａから前段データ処理回路１１ｂに送信される。
【００２４】
前段データ処理回路１１ｂにおいて、画像データには所定のデータ処理が施される。前段データ処理回路１１ｂは第１のマトリックス回路１１ｃに接続される。所定のデータ処理が施された画像データは第１のマトリックス回路１１ｃに送信される。
【００２５】
第１のマトリックス回路１１ｃにおいて、画像データを構成する画素データ毎の原色データ成分に基づいて、画素の色度である入力色度が算出される。第１のマトリックス回路１１ｃは色生成部２０に接続される。入力色度に相当する入力色度データが色生成部２０に送信される。
【００２６】
色生成部２０では、後述するように、入力色度データに基づいて多原色表示装置１３の色分解能で表現可能な色度の中で入力色度に最も近い色度である近似色度が算出される。色生成部２０は第２のマトリックス回路１１ｄに接続される。近似色度に相当する近似色度データが第２のマトリックス回路１１ｄに送信される。
【００２７】
第２のマトリックス回路１１ｄでは、近似色度データに基づいて、画素データの原色データ成分が生成される。第２のマトリックス回路１１ｄは後段データ処理回路１１ｅに接続される。原色データ成分は画像データとして、後段データ処理回路１１ｅに送信される。
【００２８】
後段データ処理回路１１ｅでは、画像データに所定のデータ処理が施される。多原色表示装置１３を内視鏡プロセッサ１１に接続すると、多原色表示装置１３は後段データ処理回路１１ｅに接続される。所定のデータ処理の施された画像データは多原色表示装置１３に送信される。多原色表示装置では、受信した画像データに相当する画像が表示される。
【００２９】
次に、色生成部２０の構成及び機能について説明する。図３に示すように、色生成部２０は、領域検出回路２１および誤差最小色度検出回路２２によって構成される。
【００３０】
第１のマトリックス回路１１ｃは領域検出回路２１に接続され、入力色度データは領域検出回路２１に入力される。領域検出回路２１では、以下に説明するように、色度図上で予め定められた第１〜第４の領域Ｔ１〜Ｔ４の中から入力色度に相当する入力色度点を含む領域が検出される。
【００３１】
図４に示すように、多原色表示装置１３では、６色の原色に相当する色度図上の点である６つの原色点Ｃ１〜Ｃ６によって囲まれる６角形内部の点に相当する色度を再現することが可能である。
【００３２】
第１〜第３の原色点Ｃ１〜Ｃ３に囲まれる領域が、第１の領域Ｔ１に定められる。第１、第３、第４の原色点Ｃ１、Ｃ３、Ｃ４によって囲まれる領域が、第２の領域Ｔ２に定められる。第１、第４、第５の原色点Ｃ１、Ｃ４、Ｃ５によって囲まれる領域が、第３の領域Ｔ３に定められる。第１、第５、第６の原色点によって囲まれる領域が、第４の領域Ｔ４に定められる。
【００３３】
また、第１、第２、第３、第４の領域Ｔ１、Ｔ２、Ｔ３、Ｔ４それぞれに対して、第４、第２、第６、第４の原色点Ｃ４、Ｃ２、Ｃ６、Ｃ４が追加原色点に予め定められている。
【００３４】
領域検出回路２１は、領域の検出のために、ＲＯＭ１１ｆから第１〜第６の原色点Ｃ１〜Ｃ６の座標を読出す。領域検出回路２１では読出した原色点の座標に基づいて、入力色度点を内部に含む領域を第１〜第４の領域Ｔ１〜Ｔ４の中から検出する。
【００３５】
領域検出回路２１は、誤差最小色度検出回路２２に接続される。領域検出回路２１より検出された領域がデータとして誤差最小色度検出回路２２に送信される。また、入力色度データも誤差最小色度検出回路２２に送信される。
【００３６】
誤差最小色度検出回路２では、領域データおよび入力色度データに基づいて、近似色度が決められる。近似色度の決定方法について以下に詳細に説明する。
【００３７】
多原色表示装置１３には特定の色分解能を有しており、原色および色分解能によって再現可能な色が決まる。誤差最小色度検出回路２２では、検出された領域および追加原色点を用いて特定の色分解能で再現可能な複数の色の色度の中で、入力色度に最も近い色度を近似色度として検出する。
【００３８】
近似色度を検出するために、多原色表示装置１３に対して定められる色分解能で再現可能な色について、説明する。例として、多原色表示装置１３の色分解能が２ビットであるときに表現可能な色について説明する。
【００３９】
説明例において、入力色度点が第２の領域Ｔ２内に含まれていると仮定する。第１、第３、第４の原色を用いて再現可能な第２の領域Ｔ２内部の色について説明する。
【００４０】
２ビットの色分解能を有する多原色表示装置１３では、以下の式（１）、（２）を満たす点である３原色再現点に相当する色を再現可能である（図５黒点参照）。すなわち、第１の原色点Ｃ１と第３の原色点Ｃ３とを１：（２＾２−１）に分割する点をＤ１、第１の原色点Ｃ１と第４の原色点Ｃ４とを１：（２＾２−１）に分割する点をＤ２として、第１の原色点Ｃ１およびＤ１の座標の差と、第１の原色点Ｃ１およびＤ２の座標の差とを別々に整数倍して第１の原色点Ｃ１の座標に付加した座標に相当する色が再現可能である。
【００４１】
【数１】
2011024040.tif 000003
【数２】
2011024040.tif 000004
なお（１）、（２）式において、ａ、ｂは正の整数である。
【００４２】
次に、追加原色点を用いて再現可能な色について説明する。前述のように第２の領域Ｔ２に対して第２の原色点Ｃ２が追加原色点に定められている。図６に示すように、追加原色点である第２の原色点と各３原色再現点とを２＾２に分割する点である追加再現点に相当する色も、多原色表示装置１３で再現可能である（黒点参照）。
【００４３】
第１〜第４の領域Ｔ１〜Ｔ４毎に、３原色再現点の座標が予め算出され、色度データとしてＲＯＭ１１ｆに格納されている。なお、３原色再現点は多原色表示装置１３の色分解能に応じて変化する。そこで、想定される色分解能に応じた３原色再現点の座標が予め算出される。
【００４４】
誤差最小色度検出回路２２が領域データを受信すると、領域データに相当する領域おける３原色再現点の座標がＲＯＭ１１ｆから誤差最小色度検出回路２２に読出される。誤差最小色度検出回路２２は、読出した３原色再現点および追加原色点の座標に基づいて追加再現点の座標を算出する。
【００４５】
誤差最小色度検出回路２２では、３原色再現点または追加再現点と入力色度点との距離が算出される。算出した距離が最短となる３原色再現点または追加再現点が、入力色度点に最も近い近似色度点として検出される。検出された近似色度点の座標が近似色度として色生成部２０から出力される。
【００４６】
次に、第１の実施形態において、色生成部２０によって実行される近似色度算出の処理について図７、図８のフローチャートを用いて説明する。なお、近似色度算出の処理は、第１のマトリックス回路１１ｃから入力色度データが色生成部２０に送信されるときに開始する。
【００４７】
ステップＳ１００では、入力色度データを受信する。入力色度データを受信すると、ステップＳ１０１に進む。
【００４８】
ステップＳ１０１では、入力色度点を内部に含む領域を第１〜第４の領域Ｔ１〜Ｔ４の中から検出する。領域を検出すると、ステップＳ１０２に進む。
【００４９】
ステップＳ１０２では、内視鏡プロセッサ１１に接続されている多原色表示装置１３のビット数ｎを読出す。なお、多原色表示装置１３の色分解能は、２＾ｎである。ビット数を読出すと、ステップＳ１０３に進む。
【００５０】
ステップＳ１０３では、近似色度の検出に用いる仮誤差最小値Ｌｍを２＾ｎに設定する。仮誤差最小値Ｌｍの設定後、ステップＳ１０４に進む。なお、仮誤差最小値とは、入力色度点と追加再現点との距離を全追加再現点に対して算出する前における最小距離である。
【００５１】
ステップＳ１０４では、ステップＳ１０１において検出した領域に対して定められた３原色再現点および追加原色点の座標を読出す。３原色再現点の座標を読出すと、ステップＳ１０５に進む。
【００５２】
ステップＳ１０５では、近似色度の検出に用いる３原色再現点番号ｉを０にリセットする。３原色再現点番号ｉのリセット後、ステップＳ１０６に進む。なお、３原色再現点番号とは、ステップＳ１０４において読出された全３原色再現点の各々に個別に付与される番号である。
【００５３】
ステップＳ１０６では、３原色再現点番号ｉに対応する３原色再現点の座標（ｘｉ、ｙｉ）を選択する。対応する３原色再現点を選択すると、ステップＳ１０７に進む。
【００５４】
ステップＳ１０７では、ステップＳ１０６において選択した３原色再現点および追加原色点の間における追加再現点の単位変化量（ｄｘ、ｄｙ）を算出する。追加再現点の単位変化量とは、多原色表示装置１３の色分解能に基づいて定められる３原色再現点と追加原色点の間において再現可能な色度の変化の最小単位であって、以下の式（３）によって算出される。単位変化量（ｄｘ、ｄｙ）を算出すると、ステップＳ１０８に進む。
【００５５】
【数３】
2011024040.tif 000005
なお、（３）式において、（ｘａ、ｙａ）は追加原色点の座標である。
【００５６】
ステップＳ１０８では、近似色度の検出に用いる追加再現点番号ｊを０にリセットする。追加再現点番号ｊのリセット後、ステップＳ１０９に進む。なお、追加再現点番号とは、ステップＳ１０６において選択した３原色再現点から追加原色点までの間の追加再現点の各々に個別に付与される番号である。なお、追加再現点番号が０である場合は、３原色再現点に対応し、追加再現点番号が２＾ｎである場合は追加原点に対応する。
【００５７】
ステップＳ１０９では、追加再現点番号ｊに対応する追加再現点の座標（ｘｃ、ｙｃ）を算出する。なお、追加再現点の座標は、以下の式（４）によって算出される。追加再現点の座標を算出すると、ステップＳ１１０に進む。
【００５８】
【数４】
2011024040.tif 000006
【００５９】
ステップＳ１１０では、ステップＳ１０９で算出した追加再現点と入力色度点との距離ｅｒｒを算出する。なお、距離ｅｒｒは、以下の式（５）によって算出される。距離ｅｒｒを算出すると、ステップＳ１１１に進む。
【００６０】
【数５】
2011024040.tif 000007
なお、（５）式において（ｘｉｎ、ｙｉｎ）は入力色度点の座標、すなわち入力色度である。
【００６１】
ステップＳ１１１では、ステップＳ１１０で算出した距離ｅｒｒが仮誤差最小値Ｌｍ未満であるか否かを判別する。距離ｅｒｒが仮誤差最小値Ｌｍ未満である場合には、ステップＳ１１２に進む。距離ｅｒｒが仮誤差最小値Ｌｍ以上である場合には、ステップＳ１１２およびステップＳ１１３をスキップして、ステップＳ１１４に進む。
【００６２】
ステップＳ１１２では、距離ｅｒｒを新たな仮誤差最小値Ｌｍに設定する。仮誤差最小値Ｌｍの新設定後、ステップＳ１１３に進む。
【００６３】
ステップＳ１１３では、現在の追加再現点の座標（ｘｃ、ｙｃ）を近似色度点の座標（ｘｏｕｔ、ｙｏｕｔ）に設定する。近似色度点の座標設定後、ステップＳ１１３に進む。
【００６４】
ステップＳ１１４では、追加再現点番号ｊに＋１を加算する。追加再現点番号の加算後、ステップＳ１１５に進む。
【００６５】
ステップＳ１１５では、追加再現点番号ｊが（２＾ｎ＋１）未満であるか否かを判別する。追加再現点番号ｊが（２＾ｎ＋１）未満である場合には、ステップＳ１０９に戻る。以後、追加再現点番号ｊが（２＾ｎ＋１）以上になるまで、ステップＳ１０９〜ステップＳ１１５の処理を繰返す。追加再現点番号ｊが（２＾ｎ＋１）以上になる場合には、ステップＳ１１６に進む。
【００６６】
ステップＳ１１６では、３原色再現点番号ｉに＋１を加算する。３原色再現点番号の加算後、ステップＳ１１７に進む。
【００６７】
ステップＳ１１７では、３原色再現点番号ｉが、読出された全３原色再現点の数を超えるか否かを判別する。３原色再現点番号ｉが全３原色再現点の数以下である場合には、ステップＳ１０６に戻る。以後、全３原色再現点の数を超えるまで、ステップＳ１０６〜ステップ１１７の処理を繰返す。３原色再現点番号ｉが全３原色再現点の数を超える場合には、ステップＳ１１８に進む。
【００６８】
ステップＳ１１８では、設定された近似色度点の座標（ｘｏｕｔ、ｙｏｕｔ）のデータを第２のマトリックス回路１１ｄに送信する。近似色度データの送信後、近似色度算出処理を終了する。
【００６９】
以上のように、本発明の第１の実施形態である色生成システムによれば、多原色表示装置１３の特定の色分解能で表現可能な色の中で入力色度に最も近い色度を算出することが可能である。
【００７０】
３原色の原色点のみを用いた場合だと、図９に示すように、入力色度点Ａに相当する入力色度に対して、３原色再現点Ｂに対応する色度が最も近い。一方、本実施形態によれば、３原色再現点Ｂよりさらに入力色度点Ａに近い追加再現点Ｃに対応する色度を近似色度として出力することが可能である。したがって、従来の３原色を基準として色度を算出する構成に比べて、実際の被写体の色に近い色を多原色表示装置１３に再現させることが可能である。
【００７１】
次に、本発明の第２の実施形態の色生成システムについて説明する。第２の実施形態は、追加原色点の代わりに第２の３原色再現点を用いて、近似色度を算出する点において第１の実施形態と異なる。以下、第１の実施形態と異なる点を中心に説明する。なお、第１の実施形態と同じ機能を有する部位には、同じ符号を付す。
【００７２】
第２の実施形態において、電子内視鏡１２および多原色表示装置１３の構成および機能は第１の実施形態と同じである。また、色生成部以外の内視鏡プロセッサ１１の構成および機能も第１の実施形態と同じである。以下に、第２の実施形態における色生成部の構成および機能について説明する。
【００７３】
図１０に示すように、色生成部２００は、領域検出回路２１０、第１の誤差最小色度検出回路２２０ａ、追加原点決定回路２３０、第２の誤差最小色度検出回路２２０ｂによって構成される。
【００７４】
第１の実施形態と同じく、第１のマトリックス回路１１ｃは領域検出回路２１０に接続され、入力色度データは領域検出回路２１０に入力される。第１の実施形態と同じく、領域検出回路２１０では、第１〜第４の領域Ｔ１〜Ｔ４の中から入力色度点を内部に含む領域が検出される。
【００７５】
領域検出回路２１０は、領域を検出するために、第１〜第６の原色点Ｃ１〜Ｃ６の座標を読出す。領域検出回路２１０では読出した原色点の座標に基づいて、入力色度点を含む領域を第１〜第４の領域Ｔ１〜Ｔ４の中から検出する。
【００７６】
領域検出回路２１０は第１の誤差最小色度検出回路２２０ａおよび追加原点決定回路２３０に接続される。領域検出回路２１０が第１〜第４の領域Ｔ１〜Ｔ４の中で検出した領域が領域データとして第１の誤差最小色度検出回路２２０ａおよび追加原点決定回路２３０に送信される。なお、入力色度データも第１の誤差最小色度検出回路２２０ａに送信される。
【００７７】
第１の実施形態と同様に、第１の誤差最小色度検出回路２２０ａは領域データを受信すると、領域データに相当する領域における３原色再現点である第１の３原色再現点の座標をＲＯＭ１１ｆから第１の誤差最小色度検出回路２２０ａに読出す。例えば、第２の領域Ｔ２が領域検出回路２１０に検出されたとすると、第１の実施形態において説明した第２の領域Ｔ２に対する３原色再現点に対応する色が再現可能である（図６参照）。
【００７８】
第１の実施形態と異なり、第１の誤差最小色度検出回路２２０ａでは、ＲＯＭ１１ｆから座標を読出した第１の３原色再現点の中で入力色度点に最も近い第１の３原色再現点が一次近似色度点として検出される。
【００７９】
第１の誤差最小色度検出回路２２０ａは追加原点決定回路２３０に接続される。第１の誤差最小色度検出回路２２０ａにより検出された一次近似色度点がデータとして追加原点決定回路２３０に送信される。また、入力色度データも追加原点決定回路２３０に送信される。さらに、前述のように、追加原点決定回路２３０は領域データを領域検出回路２１０から受信する。
【００８０】
なお、第１の実施形態と異なり、ＲＯＭ１１ｆには、第１〜第６の原色点Ｃ１〜Ｃ３の中の任意の３つの原色点の組合せによって囲まれる領域毎に、３原色再現点の座標が予め算出され、色度データとして格納されている。
【００８１】
すなわち、図１１に示すように、（Ｃ１、Ｃ２、Ｃ３）、（Ｃ１、Ｃ２、Ｃ４）、（Ｃ１、Ｃ２、Ｃ５）、（Ｃ１、Ｃ２、Ｃ６）、（Ｃ２、Ｃ３、Ｃ４）、（Ｃ２、Ｃ３、Ｃ５）、（Ｃ２、Ｃ３、Ｃ６）、（Ｃ３、Ｃ４、Ｃ１）、（Ｃ３、Ｃ４、Ｃ５）、（Ｃ３、Ｃ４、Ｃ６）、（Ｃ４、Ｃ５、Ｃ１）、（Ｃ４、Ｃ５、Ｃ２）、（Ｃ４、Ｃ５、Ｃ６）、（Ｃ５、Ｃ６、Ｃ１）、（Ｃ５、Ｃ６、Ｃ２）、（Ｃ５、Ｃ６、Ｃ３）、（Ｃ１、Ｃ３、Ｃ５）、（Ｃ２、Ｃ４、Ｃ６）の２０組の組合せによって囲まれる領域毎に、３原色再現点の座標が色度データとして格納されている。
【００８２】
領域データを受信すると、領域データに相当する領域を形成する３つの原色点の組合せ以外の３つの原色点の組合せによって囲まれる全領域に対する３原色再現点である第２の３原色再現点の座標がＲＯＭ１１ｆから追加原点決定回路２３０に読出される。
【００８３】
追加原点決定回路２３０において実行される追加原点の決定について、図１２の色度図を例に用いて説明する。なお、図１２では、２ビットの色分解能を有する多原色表示装置１３に対して第２、第４、第５の原色点Ｃ２、Ｃ４、Ｃ５によって囲まれる領域に対する第２の３原色再現点のみを用いた追加原点の決定方法を示している。しかし、実施形態においては、他の全領域に対する第２の３原色再現点も用いて追加原点が決定される。
【００８４】
追加原点決定回路２３０では、まず色度図上における一次近似色度点Ａと入力色度点Ｂとを通る判別直線Ｌｄが求められる。次に、追加原点決定回路２３０では、第２の３原色再現点（白点参照）の中で判別直線Ｌｄとの距離が最短となる第２の３原色再現点Ｃが検出される。検出した第２の３原色再現点が追加原点に決定される。
【００８５】
追加原点決定回路２３０は第２の誤差最小色度検出回路２２０ｂに接続される。追加原点の座標がデータとして第２の誤差最小色度検出回路２２０ｂに送信される。また、一次近似色度点のデータおよび入力色度データも第２の誤差最小色度検出回路２２０ｂに送信される。
【００８６】
第２の誤差最小色度検出回路２２０ｂでは、一次近似色度点と追加原点とを２＾ｎに分割する点である追加再現点（図１２十字印参照）の座標が算出される。次に、第２の誤差最小色度検出回路２２０ｂでは、追加再現点、一次近似色度点、または追加原点と入力色度点との距離が算出される。
【００８７】
次に、算出した距離が最短となる追加再現点、一次近似色度点、または追加原点が、入力色度点に最も近い二次近似色度点Ｄとして検出される。検出された二次近似色度点がデータとして第２の誤差最小色度検出回路２２０ｂから第２のマトリックス回路１１ｄに出力される。
【００８８】
次に、第２の実施形態において、色生成部２００によって実行される近似色度算出の処理について図１３〜図１５のフローチャートを用いて説明する。なお、近似色度算出の処理は、第１のマトリックス回路１１ｃから入力色度データが色生成部２００に送信されるときに開始する。
【００８９】
ステップＳ２００では、入力色度データを受信する。入力色度データを受信すると、ステップＳ２０１に進む。
【００９０】
ステップＳ２０１では、入力色度点を内部に含む領域を第１〜第４の領域Ｔ１〜Ｔ４の中から検出する。第１〜第４の領域Ｔ１〜Ｔ４の中から検出した領域に相当する領域データを生成する。領域データの生成後、ステップＳ２０２に進む。
【００９１】
ステップＳ２０２では、内視鏡プロセッサ１１に接続されている多原色表示装置１３のビット数ｎを読出す。ビット数を読出すと、ステップＳ２０３に進む。
【００９２】
ステップＳ２０３では、一次近似色度点の検出に用いる第１の仮誤差最小値Ｌｍ１を２＾ｎに設定する。第１の仮誤差最小値Ｌｍ１の設定後、ステップＳ２０４に進む。なお、第１の仮誤差最小値Ｌｍ１とは、入力色度点と第１の３原色再現点との距離をすべての第１の３原色再現点に対して算出する前における最小距離である。
【００９３】
ステップＳ２０４では、ステップＳ２０１で生成した領域データに相当する領域に対して定められた第１の３原色再現点の座標を読出す。第１の３原色再現点の座標を読出すと、ステップＳ２０５に進む。
【００９４】
ステップＳ２０５では、一次近似色度点の検出に用いる第１の３原色再現点番号ｉ１を０にリセットする。第１の３原色再現点番号ｉ１のリセット後、ステップＳ２０６に進む。なお、第１の３原色再現点番号ｉ１とは、ステップＳ２０４において読出されたすべての第１の３原色再現点の各々に個別に付与される番号である。
【００９５】
ステップＳ２０６では、第１の３原色再現点番号ｉ１に対応する第１の３原色再現点の座標（ｘｉ１、ｙｉ１）を選択する。対応する第１の３原色再現点を選択すると、ステップＳ２０７に進む。
【００９６】
ステップＳ２０７では、ステップＳ２０６において選択した第１の３原色再現点と入力色度点との距離ｅｒｒ１を算出する。なお、距離ｅｒｒ１は、以下の（６）式によって算出される。距離ｅｒｒ１を算出すると、ステップＳ２０８に進む。
【００９７】
【数６】
2011024040.tif 000008
なお、（６）式において（ｘｉｎ、ｙｉｎ）は第１の実施形態と同様に、入力色度点の座標である。
【００９８】
ステップＳ２０８では、ステップＳ２０７において算出した距離ｅｒｒ１が第１の仮誤差最小値Ｌｍ１未満であるか否かを判別する。距離ｅｒｒ１が第１の仮誤差最小値Ｌｍ１未満である場合には、ステップＳ２０９に進む。距離ｅｒｒ１が第１の仮誤差最小値Ｌｍ１以上である場合には、ステップＳ２０９およびステップ２１０をスキップして、ステップＳ２１１に進む。
【００９９】
ステップＳ２０９では、距離ｅｒｒ１を新たな第１の仮誤差最小値Ｌｍ１に設定する、第１の仮誤差最小値Ｌｍ１の新設定後、ステップＳ２１０に進む。
【０１００】
ステップＳ２１０では、現在選択されている第１の３原色再現点の座標（ｘｉ１、ｙｉ１）を一次近似色度点の座標（ｘａｐ、ｙａｐ）に設定する。一次近似色度点の座標の設定後、ステップＳ２１１に進む。
【０１０１】
ステップＳ２１１では、第１の３原色再現点番号ｉ１に＋１を加算する。第１の３原色再現点ｉ１の加算後、ステップＳ２１２に進む。
【０１０２】
図１４に示すように、ステップＳ２１２では、第１の３原色再現点番号ｉ１が読出されたすべての第１の３原色再現点の数を超えるか否かを判別する。第１の３原色再現点番号ｉ１がすべての第１の３原色再現点の数以下である場合には、ステップＳ２０６に戻る。以後、すべての第１の３原色再現点の数を超えるまで、ステップＳ２０６〜ステップ２１２の処理を繰返す。第１の３原色再現点番号ｉ１がすべての第１の３原色再現点の数を超える場合には、ステップＳ２１３に進む。
【０１０３】
ステップＳ２１３では、一次近似色度点および入力色度点を通る判別直線Ｌｄを算出する。判別直線Ｌｄの算出後、ステップＳ２１４に進む。
【０１０４】
ステップＳ２１４では、追加原点の検出に用いる第２の仮誤差最小値Ｌｍ２を２＾ｎに設定する。第２の仮誤差最小値Ｌｍ２の設定後、ステップＳ２１５に進む。なお、第２の仮誤差最小値Ｌｍ２とは、入力色度と第２の３原色再現点との距離をすべての第２の３原色再現点に対して算出する前における最小距離である。
【０１０５】
ステップＳ２１５では、ステップＳ２０１で生成した領域データに相当する領域を形成する３つの原色点の組合せ以外の３原色の組合せによって囲まれる全領域に対して定められた第２の３原色再現点の座標を読出す。第２の３原色再現点の座標を読出すと、ステップＳ２１６に進む。
【０１０６】
ステップＳ２１６では、追加原点の検出に用いる第２の３原色再現点番号ｉ２を０にリセットする。第２の３原色再現点番号ｉ２のリセット後、ステップＳ２１７に進む。なお、第２の３原色再現点番号ｉ２とは、ステップＳ２１５において読出されたすべての第２の３原色再現点の各々に個別に付与される番号である。
【０１０７】
ステップＳ２１７では、第２の３原色再現点番号ｉ２に対応する第２の３原色再現点の座標（ｘｉ２、ｙｉ２）を選択する。対応する第２の３原色再現点を選択すると、ステップＳ２１８に進む。
【０１０８】
ステップＳ２１８では、ステップＳ２１７において選択した第２の３原色再現点と一次近似色度点との間に入力色度点が存在するか否かを判別する。なお、第２の３原色再現点のｘ座標ｘｉ２と一次近似色度のｘ座標ｘａｐの間にｘｉｎが含まれるか否かを判別することにより、両点の間に入力色度点が存在するか否かを判別する。
【０１０９】
ｘｉｎがｘｉ２およびｘａｐに挟まれる場合には、ステップＳ２１９に進む。ｘｉｎがｘｉ２およびｘａｐに挟まれない場合には、ステップＳ２１９〜ステップＳ２２２をスキップすることにより現在選択されている第２の３原色再現点を追加原点の検討対象から除外して、ステップＳ２２３に進む。
【０１１０】
ステップＳ２１９では、ステップＳ２１７において選択した第２の３原色再現点と入力色度点との距離ｅｒｒ２を算出する。なお、距離ｅｒｒ２は、以下の（７）式によって算出される。距離ｅｒｒ２を算出すると、ステップＳ２２０に進む。
【０１１１】
【数７】
2011024040.tif 000009
【０１１２】
ステップＳ２２０では、ステップＳ２１７において算出した距離ｅｒｒ２が第２の仮誤差最小値Ｌｍ２未満であるか否かを判別する。距離ｅｒｒ２が第２の仮誤差最小値Ｌｍ２未満である場合には、ステップＳ２２１に進む。距離ｅｒｒ２が第２の仮誤差最小値Ｌｍ２以上である場合には、ステップＳ２２１およびステップＳ２２２をスキップして、ステップＳ２２３に進む。
【０１１３】
ステップＳ２２１では、距離ｅｒｒ２を新たな第２の仮誤差最小値Ｌｍ２に設定する。第２の仮誤差最小値Ｌｍ２の新設定後、ステップＳ２２２に進む。
【０１１４】
ステップＳ２２２では、現在選択されている第２の３原色再現点の座標（ｘｉ２、ｙｉ２）を追加原点の座標（ｘａｄ、ｙａｄ）に設定する。追加原点の座標の設定後、ステップＳ２２３に進む。
【０１１５】
ステップＳ２２３では、第２の３原色再現点番号ｉ２に＋１を加算する。第２の３原色再現点ｉ２の加算後、ステップＳ２２４に進む。
【０１１６】
図１５に示すように、ステップＳ２２４では、第２の３原色再現点番号ｉ２が読出されたすべての第２の３原色再現点の数を超えるか否かを判別する。第２の３原色再現点番号ｉ２がすべての第２の３原色再現点の数以下である場合には、ステップＳ２１７に戻る。以後、すべての第２の３原色再現点の数を超えるまで、ステップＳ２１７〜ステップ２２４の処理を繰返す。第２の３原色再現点番号ｉ２がすべての第２の３原色再現点の数を超える場合には、ステップＳ２２５に進む。
【０１１７】
ステップＳ２２５では、二次近似色度の検出に用いる第３の仮誤差最小値Ｌｍ３を２＾ｎに設定する。第３の仮誤差最小値Ｌｍ３の設定後、ステップＳ２２６に進む。なお、第３の仮誤差最小値Ｌｍ３とは、入力色度に相当する点と追加再現点との距離を前追加再現点に対して算出する前における最小距離である。
【０１１８】
ステップＳ２２６では、二次近似色度の検出に用いる追加再現点番号ｊを０にリセットする。追加再現点番号ｊのリセット後、ステップＳ２２７に進む。なお、追加再現点番号とは、一次近似色度点から追加原点までの間の追加再現点の各々に個別に付与される番号である。なお、追加再現点番号が０である場合は一次近似色度点に相当し、追加再現点番号が２＾ｎである場合は追加原点に相当する。
【０１１９】
ステップＳ２２７では、一次近似色度点および追加原点の間における追加再現点の単位変化量（ｄｘ、ｄｙ）を算出する。追加再現点の単位変化量とは、多原色表示装置１３の色分解能に基づいて定められる一次近似色度点と追加原点の間において再現可能な色度の変化の最小単位であって、以下の式（８）によって算出される。単位変化量（ｄｘ、ｄｙ）を算出すると、ステップＳ２２８に進む。
【０１２０】
【数８】
2011024040.tif 000010
【０１２１】
ステップＳ２２８では、追加再現点番号ｊに対応する追加再現点の座標（ｘｃ、ｙｃ）を算出する、なお、追加再現点の座標は、以下の式（９）によって算出される。追加再現点の座標を算出すると、ステップＳ２２９に進む。
【０１２２】
【数９】
2011024040.tif 000011
【０１２３】
ステップＳ２２９では、ステップＳ２２８で算出した追加再現点と入力色度点との距離ｅｒｒ３を算出する。なお、距離ｅｒｒ３は、以下の式（１０）によって算出される。距離ｅｒｒ３を算出すると、ステップＳ２３０に進む。
【０１２４】
【数１０】
2011024040.tif 000012
【０１２５】
ステップＳ２３０では、ステップＳ２２９で算出した距離ｅｒｒ３が第３の仮誤差最小値Ｌｍ３未満であるか否かを判別する。距離ｅｒｒ３が第３の仮誤差最小値Ｌｍ３未満である場合には、ステップＳ２３１に進む。距離ｅｒｒ３が第３の仮誤差最小値Ｌｍ３以上である場合には、ステップＳ２３１およびステップＳ２３２をスキップして、ステップＳ２３３に進む。
【０１２６】
ステップＳ２３１では、距離ｅｒｒ３を新たな第３の仮誤差最小値Ｌｍ３に設定する。第３の仮誤差最小値Ｌｍ３の新設定後、ステップＳ２３２に進む。
【０１２７】
ステップＳ２３２では、現在の追加再現点の座標（ｘｃ、ｙｃ）を二次近似色度点の座標（ｘｏｕｔ、ｙｏｕｔ）に設定する。二次近似色度点の座標設定後、ステップＳ２３３に進む。
【０１２８】
ステップＳ２３３では、追加再現点番号ｊに＋１を加算する。追加再現点番号の加算後、ステップＳ２３４に進む。
【０１２９】
ステップＳ２３４では、追加再現点番号ｊが（２＾ｎ＋１）未満であるか否かを判別する。追加再現点番号ｊが（２＾ｎ＋１）未満である場合には、ステップＳ２２７に戻る。以後、追加再現点番号ｊが（２＾ｎ＋１）以上になるまで、ステップＳ２２７〜ステップＳ２３４の処理を繰返す。追加再現点番号ｊが（２＾ｎ＋１）以上になる場合には、ステップＳ２３５に進む。
【０１３０】
ステップＳ２３５では、設定された二次近似色度点の座標（ｘｏｕｔ、ｙｏｕｔ）のデータを第２のマトリックス回路１１ｄに送信する。二次近似色度点の座標データの送信後、近似色度算出処理を終了する。
【０１３１】
以上のように、本発明の第２の実施形態である色生成システムによっても、多原色表示装置１３の特定の色分解能で表現可能な色の中で入力色度に最も近い色度を算出することが可能である。
【０１３２】
なお、第１、第２の実施形態において、色度図上において６つの原色点の中の３つの原色点によって囲まれる複数の領域（第１〜第４の領域Ｔ１〜Ｔ４）が予め定められる構成であるが、４以上の原色点の中から３つの原色点によって囲まれる複数の領域が予め定められる構成であってもよい。
【０１３３】
また、第１の実施形態では、予め定められた複数の領域の中で入力色度点を含む領域を検出する構成であるが、検出することなく所定の４以上の原色に対して所定の色分解能で表現可能な再現点の中から近似色度を選択する構成であってもよい。
【０１３４】
また、第１の実施形態において、色度図上において６つの原色点の中の３つの原色点によって囲まれる複数の領域（第１〜第４の領域Ｔ１〜Ｔ４）が予め定められる構成であるが、４以上の原色点によって囲まれる複数の領域が予め定められる構成であってもよい。このように領域を形成するすべての原色点と追加原色点とを用いて近似色度を求めてもよい。
【０１３５】
また、第２の実施形態において、色度図上において６つの原色点の中の３つの原色点によって囲まれる複数の領域（第１〜第４の領域Ｔ１〜Ｔ４）が予め定められる構成であるが、４以上の原色点によって囲まれる複数の領域が予め定められる構成であってもよい。このように予め定められた複数の領域の中から入力色度点の含む領域として選択された領域において一次近似色度点を選択して、選択した一次近似色度点に基づいて二次近似色度点を選択してもよい。
【０１３６】
また、第１の実施形態において、色度図上において予め定められた複数の領域それぞれに対して単一の追加原色点が定められる構成であるが、それぞれの領域に複数の追加原色点が定められる構成であってもよい。領域を形成する３つの原色点と複数の追加原色点を用いて近似色度を求めてもよい。
【０１３７】
また、第２の実施形態において、入力色度点を含むと判別された領域を形成する３つの原色点の組合せ以外の３つの原色点の組合せによって囲まれる全領域に対する３原色再現点の中から追加原点を選択する構成であるが、入力色度点を含むと判別された領域を形成する原色点の組合せ以外の４以上の原色点の組合せによって囲まれる領域に対する原色再現点の中から追加原点を選択する構成であってもよい。
【符号の説明】
【０１３８】
１０  内視鏡ユニット
１１  内視鏡プロセッサ
１１ａ  Ａ／Ｄコンバータ
１１ｃ  第１のマトリックス回路
１１ｄ  第２のマトリックス回路
１２  電子内視鏡
１２ａ  撮像素子
１３  多原色表示装置
２０、２００  色生成部
２１、２１０  領域検出回路
２２  誤差最小色度検出回路
２２０ａ、２２０ｂ  第１、第２の誤差最小色度検出回路
２３０  追加原点決定回路
【図１】
2011024040.tif 000013
【図２】
2011024040.tif 000014
【図３】
2011024040.tif 000015
【図４】
2011024040.tif 000016
【図５】
2011024040.tif 000017
【図６】
2011024040.tif 000018
【図７】
2011024040.tif 000019
【図８】
2011024040.tif 000020
【図９】
2011024040.tif 000021
【図１０】
2011024040.tif 000022
【図１１】
2011024040.tif 000023
【図１２】
2011024040.tif 000024
【図１３】
2011024040.tif 000025
【図１４】
2011024040.tif 000026
【図１５】
2011024040.tif 000027